(57)【要約】【課題】吹出し口の気流案内部における安定した整流効果を得ることによって、壁面を搬送空気により汚すことがない給気グリルを提供することを目的とする。【解決手段】フレーム４の室内側面を覆って着脱自在に取り付けられる化粧パネル１５に、その外周縁に沿う形状の吹出し開口１８を所定の範囲に設けるとともに、吹出し開口１８と外周縁との間に外方へ向かうにしたがってフレーム４から離れる方向の傾斜面１９を形成したことにより、吹出し開口１８での風速の上昇や化粧パネル裏面で乱流の発生があっても、給気流は連続した形状の傾斜面で整流されてスムーズに室内へ吹き出され、壁面の汚れを防ぐことができる。【選択図】図１
2011052886.tif 000002
【特許請求の範囲】
【請求項１】
壁面に取り付けられ、室外からの給気流をダクトを介して室内へ吹き出す給気グリルであって、前記ダクトと連通する室外側開口および前記室内と連通する室内側開口とを有し、前記室外側開口と前記室内側開口の間に前記給気流の通風路を形成したフレームと、前記フレームの室内側面を覆って着脱自在に取り付けられる化粧パネルとからなり、前記化粧パネルには、その外周縁に沿う形状の吹出し開口を所定の範囲に設けるとともに、前記吹出し開口と前記外周縁との間に外方へ向かうにしたがって前記フレームから離れる方向の傾斜面を形成したことを特徴とする給気グリル。
【請求項２】
前記フレームは外形が多角形状に形成され、その角部の少なくとも１つを含む範囲に前記吹出し開口を設けたことを特徴とする請求項１記載の給気グリル。
【請求項３】
前記化粧パネルは前記フレームに対して選択した取付け方向に変更可能としたことを特徴とする請求項１または２記載の給気グリル。
【請求項４】
前記フレームの外周部全周にわたって、前記化粧パネルの前記傾斜面に重なる形状のフレーム傾斜部を形成したことを特徴とする請求項３記載の給気グリル。
【請求項５】
前記化粧パネルの裏面に、前記吹出し開口と前記傾斜面を除いて断熱材を貼付したことを特徴とする請求項１〜４のいずれかに記載の給気グリル。
【発明の詳細な説明】
【技術分野】
【０００１】
本発明は、室外空気を室内に供給するために天井板等に端末開口として設けられる給気グリルに関するものである。
【背景技術】
【０００２】
従来、この種の給気グリルは、気流案内突部を設けて室内への吹出し角度を設定するものが知られている（例えば、特許文献１参照）。
【０００３】
特許文献１に記載の給気グリルは、室外空気を室内に給気する搬送空気をダクトを介して室内へ吹き出すように設けられる給気グリルであり、前記ダクトと連通する室外側開口と、前記室内と連通する室内側開口と、この室内側開口と前記室外側開口の間に前記搬送空気の通風路を形成するパネルベース部と、このパネルベース部に対向して形成されるパネル部と、前記通風路と連通し、前記パネル部と前記パネルベース部との間にボス部を介在させて形成される吹出し口とを備え、前記パネルベース部に前記パネル部側に向かうリブ状の第１の気流案内突部を形成するとともに、前記パネル部に前記パネルベース部側に向かうリブ状の第２の気流案内突部を形成している。
【先行技術文献】
【特許文献】
【０００４】
【特許文献１】特開２００５−２６５２６６号公報
【発明の概要】
【発明が解決しようとする課題】
【０００５】
このような従来の給気グリルでは、搬送空気の通風量が多くなることによる吹出し口での風速の上昇や、ボス部を吹出し口近傍に設けることによる乱流の影響を受けることによって、搬送空気を気流案内突部により案内する際、設定した吹出し角度通りに案内されないことがあり、気流案内部における安定した整流効果が得られず、搬送空気の一部が天井板等の壁面方向へ流れ、壁面を汚すという課題を有していた。
【０００６】
そこで本発明は、上記従来の課題を解決するものであり、吹出し口での風速の上昇や、吹出し口近傍のボス部による乱流の影響を受け難くし、気流案内部における安定した整流効果を得ることによって、壁面を搬送空気により汚すことがない給気グリルを提供することを目的とする。
【課題を解決するための手段】
【０００７】
そして、この目的を達成するために、本発明の給気グリルは、壁面に取り付けられ、室外からの給気流をダクトを介して室内へ吹き出す給気グリルであって、前記ダクトと連通する室外側開口および前記室内と連通する室内側開口とを有し、前記室外側開口と前記室内側開口の間に前記給気流の通風路を形成したフレームと、前記フレームの室内側面を覆って着脱自在に取り付けられる化粧パネルとからなり、前記化粧パネルには、その外周縁に沿う形状の吹出し開口を所定の範囲に設けるとともに、前記吹出し開口と前記外周縁との間に外方へ向かうにしたがって前記フレームから離れる方向の傾斜面を形成したものであり、これにより所期の目的を達成できる。
【発明の効果】
【０００８】
本発明によれば、フレームの室内側面を覆って着脱自在に取り付けられる化粧パネルには、その外周縁に沿う形状の吹出し開口を所定の範囲に設けるとともに、吹出し開口と外周縁との間に外方へ向かうにしたがってフレームから離れる方向の傾斜面を形成したことにより、吹出し開口での風速の上昇や化粧パネル裏面で乱流の発生があっても、給気流は連続した形状の傾斜面で整流されてスムーズに室内へ吹き出され、壁面の汚れを防ぐことができる、という効果のある給気グリルを提供することができる。
【図面の簡単な説明】
【０００９】
【図１】本発明の実施の形態１の給気グリルの化粧パネル取り外し時を示す分解斜視図
【図２】同給気グリルの下方からの斜視図
【図３】同給気グリルのシャッターを示す斜視図
【図４】同給気グリルの一方向からの側面断面図
【図５】同給気グリルの下面図
【図６】同給気グリルの他方向からの側面断面図
【図７】同給気グリルの化粧パネルの断熱材貼付前を示す斜視図
【発明を実施するための形態】
【００１０】
本発明の請求項１記載の給気グリルは、壁面に取り付けられ、室外からの給気流をダクトを介して室内へ吹き出す給気グリルであって、前記ダクトと連通する室外側開口および前記室内と連通する室内側開口とを有し、前記室外側開口と前記室内側開口の間に前記給気流の通風路を形成したフレームと、前記フレームの室内側面を覆って着脱自在に取り付けられる化粧パネルとからなり、前記化粧パネルには、その外周縁に沿う形状の吹出し開口を所定の範囲に設けるとともに、前記吹出し開口と前記外周縁との間に外方へ向かうにしたがって前記フレームから離れる方向の傾斜面を形成したものであり、吹出し開口が化粧パネル自体に設けられ、その外方の化粧パネル外周部に傾斜面が形成されるため、傾斜面が連続した形状となり、吹出し開口における風速が高くなっても、傾斜面での風向ガイド時に整流され、また、化粧パネルをフレームに着脱自在に保持するボス状部等が化粧パネル裏面の吹出し開口近傍に設けられても、そのボス状部等による給気流の乱れが傾斜面での風向ガイド時に整流され、給気流はスムーズな流れになって室内へ吹き出されるので、壁面を汚すことがなくなる。
【００１１】
また、請求項２記載の給気グリルは、請求項１記載の給気グリルにおいて、フレームは外形が多角形状に形成され、その角部の少なくとも１つを含む範囲に前記吹出し開口を設けたものであり、給気グリルが設置される部屋に対し吹出し方向性を持つ構成であっても、連続した傾斜面で給気流を壁面から離れる風向に案内する際に角部でも整流され、給気流はスムーズな流れになり、壁面を汚すことがなくなる。
【００１２】
また、請求項３記載の給気グリルは、請求項１または２記載の給気グリルにおいて、化粧パネルはフレームに対して選択した取付け方向に変更可能としたものであり、化粧パネルの取付け方向を変えて吹出し方向を変更しても、傾斜面が吹出し開口とともに化粧パネルに一体で形成されているため、給気流は傾斜面によりかならず整流され、常に高い整流効果を発揮することができる。
【００１３】
また、請求項４記載の給気グリルは、請求項３記載の給気グリルにおいて、フレームの外周部全周にわたって、化粧パネルの傾斜面に重なる形状のフレーム傾斜部を形成したものであり、化粧パネルを選択したどの方向に取り付けても、化粧パネルの傾斜面がフレーム傾斜部に重なって取り付けられることとなり、安定した状態でフレームに取り付けられることとなる。
【００１４】
また、請求項５記載の給気グリルは、請求項１〜４のいずれかに記載の給気グリルにおいて、化粧パネルの裏面に、吹出し開口と傾斜面を除いて断熱材を貼付したものであり、断熱材を貼付した化粧パネルの裏面全体が傾斜面の外周側に対してフレーム側に位置することとなり、フレームから吹出し開口へ通風される給気流全体の流れがスムーズになり、傾斜面における整流効果を高めることができ、併せて、化粧パネルにおける結露を防止できる。
【００１５】
以下、本発明の実施の形態について、図１〜図７面を参照しながら説明する。
【００１６】
（実施の形態１）
本発明は、天井面、室内壁面等の壁面に取り付けられ、室外からの給気流をダクトを介して室内へ吹き出す給気グリルに関するものであり、本実施の形態１では、天井面（図示せず）取り付けにおいて説明する。
【００１７】
図１に示すように、給気グリルは、ダクト（図示せず）と連通する室外側開口１および室内と連通する室内側開口２を有し、室外側開口１と室内側開口２の間に給気流の通風路３を形成し、天井面に固定されるフレーム４を備え、フレーム４には、室内側開口２の外方にフランジ部５が設けられており、また、室外側開口１に、ダクトと室外側開口１を連通接続するために、ダクト内側へ挿入されて、ダクトとスムーズに接続できるように円筒状で、ダクトの挿入時の位置決めとなるリング状のダクト止め部６を形成したアダプター７を有している。アダプター７は、給気グリルの天井面への固定において、ダクトとの接続方向が固定されていてダクトの配管方向によっては接続が困難となることを防ぐため、フレーム４の室内側開口２の中心軸を基準に、アダプター７を含むフレーム上部４ａが３６０度の範囲で回動可能な構成となっている。
【００１８】
また、図２に示すように、フレーム４内部にはシャッター８が内蔵されており、シャッター８の開度を調節することにより、給気風量を調節することができる。具体的には、フレーム４の室内側開口２の中心軸を基準としてシャッター８が回動することによって、アダプター７からフレーム４内の通風路３へ臨む開口部９の開口面積を増減でき、給気風量の調節を行うことができる。
【００１９】
シャッター８の位置調節をする際の固定方法としては、シャッター８とフレーム４が、ともに樹脂で形成された図３に示すシャッター８の突起部１０とフレーム４の係合部１１（図２に示す）との係合により固定されている。詳述すると、フレーム４内部の天面１２に複数の係合部１１を設け、シャッター８の上面１３がフレーム４内部の天面１２と接する面に突起部１０を設け、シャッター８を回動させた際に、突起部１０を複数の係合部１１のうち所定の給気風量が得られる位置の係合部１１と係合させることによって、シャッター８を所定の位置に固定できる。
【００２０】
上記構成によって、アダプター７を含むフレーム上部４ａを回動させた際も、シャッター８はそれに連動して動き、アダプター７からフレーム４内の通風路３へ臨む開口部９とシャッター８との位置関係は変わらないため、常に所定の給気風量を得るシャッター８の風量調節が可能となる。
【００２１】
フレーム４と天井面との固定方法としては、図４に示すように、固定金具１４を用いる。固定金具１４はフレーム側部４ｂに２箇所設けられ、後述の化粧パネル１５を外した状態で室内側から室内側開口２の近傍にあるねじ１６を締め付けることにより、固定金具１４が固定金具ガイド１７に沿ってスライドして、天井面と接するフレーム４のフランジ部５との距離が縮まっていき、天井面を固定金具１４とフランジ部５とで挟んで締め付けることによって、フレーム４を天井面に固定することができる。
【００２２】
そして、図１および図４に示すように、給気グリルはフレーム４の室内側面を着脱自在に覆うように化粧パネル１５を備えている。フレーム４のフランジ部５は四角形状をしており、フランジ部５に対向する化粧パネル１５も外形が四角形状に形成されている。化粧パネル１５には、その外周縁に沿う形状の吹出し開口１８が形成されており、フレーム４の室外側開口１から流入してきた給気流は吹出し開口１８を通して室内へ給気される。
【００２３】
図５に示すように、吹出し開口１８は四角形状に形成された化粧パネル１５の外周２辺の方向へ吹き出すように、１つの開口が化粧パネル１５の外周縁に沿い化粧パネル１５の１つの角部を含むくの字形状に設けられており、吹出し開口１８と外周縁との間に外方へ向かうにしたがってフレーム４から離れる方向、すなわち下方へ向く傾斜面１９（図４も参照）を形成している。
【００２４】
この構成により、吹出し開口１８が化粧パネル１５自体に設けられ、その外方の化粧パネル１５外周部に傾斜面１９が形成されるため、傾斜面１９が１つの連続した形状となり、化粧パネル１５をフレーム４に着脱自在に保持するボス状部２０が化粧パネル裏面２１の吹出し開口１８近傍に設けられても、そのボス状部２０による給気流の乱れが傾斜面１９にて給気流を所定の方向へ案内する際に整流され、給気流はスムーズな流れになって室内へ吹き出されることとなる。
【００２５】
したがって、通風路３を通った給気流が化粧パネル裏面２１やボス状部２０に当たることにより化粧パネル裏面２１での乱流の発生、あるいは給気風量の調節による吹出し開口１８での風速の変化があっても、室内側への給気流として給気グリルから吹き出される際には、連続した形状の傾斜面１９により安定的に整流されてスムーズに吹き出されるため、給気流の一部が天井面に接触することによる天井面の汚れを防ぐことができる。
【００２６】
また、化粧パネル１５の角部の吹出し開口１８においても、連続した開口と、それに伴った連続した傾斜面１９とが形成されているため、給気流を天井面から離れる風向に案内する際に角部においても整流効果が高く、天井面の汚れを防ぐことができる。
【００２７】
また、化粧パネル１５はフレーム４に装着するにあたって、取付け方向を９０度間隔で選択した方向に変更可能とした構成としている。
【００２８】
この構成により、化粧パネル１５の取り付け方向を変えて吹き出し方向を変更しても、傾斜面１９が吹出し開口１８とともに化粧パネル１５に一体で形成されているため、吹出し開口１８と傾斜面１９との位置関係が変わらず、給気流は傾斜面１９によりかならず整流されることとなる。
【００２９】
したがって、初期の設置施工時に、あるいは設置後の吹出し方向変更時に、化粧パネル１５の取付け方向をいずれの方向にしても整流効果に変化がなく、常に高い整流効果を発揮することができる。また、化粧パネル１５が一体感のあるデザインとなり、外観的にも好ましくなるとともに、部品点数削減によるコストの合理化が達成できる。
【００３０】
また、図２および図６に示すように、フレーム４のフランジ部５の外周部全周にわたって、化粧パネル１５の傾斜面１９に重なる形状のフレーム傾斜部２２を形成することにより、化粧パネル１５を選択したどの方向に取り付けても、化粧パネル１５の傾斜面１９がフレーム傾斜部２２に重なって取り付けられることとなるため、安定した状態でフレーム４に取り付けられることとなる。
【００３１】
また、図７に示すように、化粧パネル裏面２１の吹出し開口１８と傾斜面１９を除いた部分に、厚さ５ｍｍ程度の断熱材２３を貼付することによって、断熱材２３を貼付した化粧パネル裏面２１全体が、傾斜面１９の外周側に対して天井面に近いフレーム４側に位置することとなり、室内への給気流は、断熱材２３を貼付した化粧パネル裏面２１にまず衝突し、その後、傾斜面１９に導かれて吹出し開口１８から室内へと吹出される。
【００３２】
したがって、フレーム４から吹出し開口１８へ通風される給気流全体の流れがスムーズになり、傾斜面１９における整流効果を高めることができ、併せて、化粧パネル１５における結露を防止できることとなる。
【００３３】
なお、本実施の形態１では、給気グリルを天井面に取り付ける場合について説明したが、その取り付け箇所は天井面に限定されるものではなく、室内側壁面等、室内に面する壁面であれば、給気グリルの作用効果に何ら差異はない。
【産業上の利用可能性】
【００３４】
本発明に係る給気グリルは、内部の通風路における構成、あるいは、給気流の風速の如何にかかわらず、取り付けられる壁面から離れる方向に給気して壁面を汚さないという効果を有し、空気調和した空気を室内に吹き出すグリルも含めて、広く有用である。
【符号の説明】
【００３５】
１    室外側開口
２    室内側開口
３    通風路
４    フレーム
１５  化粧パネル
１８  吹出し開口
１９  傾斜面
２２  フレーム傾斜部
２３  断熱材
【図１】
2011052886.tif 000003
【図２】
2011052886.tif 000004
【図３】
2011052886.tif 000005
【図４】
2011052886.tif 000006
【図５】
2011052886.tif 000007
【図６】
2011052886.tif 000008
【図７】
2011052886.tif 000009